(57)【要約】【課題】スカムの発生や砂分の堆積などの支障を低減・解消できる新規な伏越管渠を提供すること、および既存の伏越管渠について上記のような支障を低減・解消できる改良構造を提供することを課題とする。【解決手段】伏越管２４の勾配を上流管渠５の勾配より大きくし、更に上流側伏越室２２の径寸法を上流管渠５の径寸法より小さくして伏越管渠２０を構成する。下流側伏越室２３の底部にポンプＰ１を備え下流側伏越室２３の底部から下流側伏越室２３の上部に排水を移送できるようにし、ポンプＰ１の運転を制御するタイマーを備える。既存の合流式伏越管渠１に隣接して伏越管渠３０を設け、合流式伏越管渠１の上流側伏越室２の上部の排水流入部に堰１３を設け、堰１３の上流側から伏越管渠３０の上流側伏越室２２の上部に排水を流送させる構造とし、更に伏越管渠３０の下流側伏越室２３の底部から合流式伏越管渠１の下流側伏越室３の上部または更に下流側に排水を移送するポンプＰ２を備える。【選択図】　図１
2004052512.tif 000002
【特許請求の範囲】
【請求項１】
上流側伏越室と下流側伏越室とを伏越管にて連通させた伏越管渠であって、
伏越管の勾配を上流管渠の勾配よりも大きくしたものである伏越管渠。
【請求項２】
上流側伏越室の径寸法を上流管渠の径寸法よりも小径寸法としたものである請求項１に記載の伏越管渠。
【請求項３】
下流側伏越室底部から下流側伏越室上部に排水を移送するポンプを備えたものである請求項１または請求項２のいずれかに記載の伏越管渠。
【請求項４】
既存の合流式伏越管渠についての改良構造であって、
既存の合流式伏越管渠に隣接して請求項３に記載の伏越管渠を設けると共に、既存の合流式伏越管渠の上流側伏越室の上部の排水流入部に新規に堰を設け、この堰の上流側から請求項３に記載の伏越管渠の上流側伏越室の上部に排水を流送させる構造とし、更に、請求項３に記載の伏越管渠の下流側伏越室底部からポンプにより既存の合流式伏越管渠の下流側伏越室上部または既存の合流式伏越管渠の下流側伏越室の更に下流側に排水を移送する構造としたものである既存の伏越管渠の改良構造。
【請求項５】
請求項４に記載の伏越管渠の改良構造において、
更に、既存の合流式伏越管渠の下流側伏越室底部から既存の合流式伏越管渠の下流側伏越室上部に排水を移送するポンプを備えると共に、このポンプの運転を水位計の指示により制御するように構成したものである既存の伏越管渠の改良構造。
【発明の詳細な説明】
【０００１】
【発明の属する技術分野】
本発明は下水や産業用排水または雨水その他の雑排水のような排水を処理して所定の水質を得るための排水処理に関するものであり、詳しくは上記のような排水を排水処理施設に導くための下水道管に関するものであり、更に詳しくは下水道管の適宜個所に設置する伏越管渠の技術に関するものである。
【０００２】
【従来の技術】
下水や産業用排水または雨水その他の雑排水のような排水を排水処理施設に導くための下水道管については、家庭や産業施設その他などからの排水と雨水とを各々区分して別々に流送する分流式と、全てを併せて流送する合流式の２形態がある。
いずれの形態においても下水道管は基本的に地下に埋設して敷設するのであるが、例えば河川や鉄道線路あるいは道路などの障害物が存在する場合には、障害物の更に下方に迂回用の管路を設ける逆サイフォン型の伏越管渠が多く用いられている。
図４の（ａ）：概略平面図および（ｂ）：概略側面図は従来の基本的な伏越管渠１の構造を示すものであり、共に縦方向の管渠である上流側伏越室２と下流側伏越室３とを、横方向の管渠である伏越管４にて連通させたものである。
上流側伏越室２の上部には上流から排水が流送されてくる上流管渠５が接続され、下流側伏越室３の上部には伏越管渠１を通過した排水が下流へと流送される下流管渠６が接続されており、そして、上下各伏越室２，３の下部が伏越管４と接続されている。
この例に示す伏越管渠１は、上流側伏越室２と下流側伏越室３および伏越管４を各々２本ずつ備えたものとなっており、上下各伏越室２，３の上部には各々枡７，８が設けられており、この各枡７，８の底部９，１０に上下各伏越室２，３の上端が開口した状態となっており、また、この各枡７，８の側面に上流管渠５および下流管渠６がそれぞれ接続されている。尚、１１は各々清掃時用の堰であり、清掃する側の伏越室および伏越管に排水が流入しないようにするためのものである。
【０００３】
このような伏越管渠１を用いることにより下水道管の管路途中に例えば河川１２などがあっても、上流管渠５から流入した排水は上流側伏越室２、伏越管４、下流側伏越室３を通り下流管渠６へと流送することができるようになっている。尚、下流管渠６の高さレベルは伏越管渠１内を通る排水の摩擦などの損失分だけ上流管渠５の高さレベルよりも低く設定されている。
【０００４】
しかしながら、上記のような従来の伏越管渠１にあっては、排水中に含まれる油分や砂分などによる支障が著しいものであった。
即ち、上述のような逆サイフォン構造であることから、排水中に含まれる砂分など比重の大きいものは上流側伏越室２の底部および下流側伏越室３の底部、そして伏越管４内に沈降し堆積してしまうため、定期的あるいは不定期に清掃する必要があった。この清掃作業は極めて煩雑でありコストも嵩むなど、維持管理に要する費用は少なからぬものであった。
また、排水中に含まれる油分など比重の小さいものは上流側伏越室２および下流側伏越室３の上部の水面上に浮遊し、スカムが発生する原因となっていた。
この発生したスカムは長時間放置されると腐敗して悪臭を放ったり、あるいは固形化して管渠を閉塞する恐れがあることから、同じく定期的あるいは不定期に清掃する必要があった。
このような油分や砂分などによる支障は、特に夜間などにおいて排水の流量が少なくなり伏越管渠１内の流速が遅くなった際に著しいものであるほか、大量の排水が比較的大粒の土砂を大量に押し流してくる大雨の際などにも著しいものである。
【０００５】
【発明が解決しようとする課題】
本発明はこのような従来の技術や現状に着目してなされたものであり、スカムの発生や砂分の堆積などの支障を低減あるいは解消することができる新規な伏越管渠を提供することを課題とするものである。
また、既存の伏越管渠について上記のような支障を低減あるいは解消することができる改良構造を提供することを課題とするものである。
【０００６】
【課題を解決するための手段】
本発明に係る伏越管渠は上記のような課題を解決するために、上流側伏越室と下流側伏越室とを伏越管にて連通させた伏越管渠であって、伏越管の勾配を上流管渠の勾配よりも大きくしたものである。また、上流側伏越室の径寸法を上流管渠の径寸法よりも小径寸法とするほか、下流側伏越室底部から下流側伏越室上部に排水を移送するポンプを備えるものである。
【０００７】
また、本発明に係る既存の伏越管渠の改良構造は上記のような課題を解決するために、既存の合流式伏越管渠に隣接して上記新規の伏越管渠を設けると共に、既存の合流式伏越管渠の上流側伏越室の上部の排水流入部に新規に堰を設け、この堰の上流側から上記新規の伏越管渠の上流側伏越室の上部に排水を流送させる構造とし、更に、上記新規の伏越管渠の下流側伏越室底部からポンプにより既存の合流式伏越管渠の下流側伏越室上部または既存の合流式伏越管渠の下流側伏越室の更に下流側に排水を移送する構造としたものである。更にはこのような改良構造において、既存の合流式伏越管渠の下流側伏越室底部から既存の合流式伏越管渠の下流側伏越室上部に排水を移送するポンプを備えると共に、このポンプの運転を水位計の指示により制御するように構成したものである。
【０００８】
【発明の実施の形態】
本発明の実施の形態を以下、図面に基づいて説明する。尚、従来例を含む各図において共通する部分には同一の符号を付し重複する説明は省略する。
【０００９】
図１の（ａ）：概略平面図および（ｂ）：概略側面図は本発明の伏越管渠２０を示すものである。
この伏越管渠２０は上流側伏越室２２と下流側伏越室２３とを伏越管２４にて連通させたものであり、伏越管２４の勾配を上流管渠５の勾配よりも大きくしたものである。上流側伏越室２２の径寸法は上流管渠５の径寸法よりも小径寸法とし、更に下流側伏越室２３の底部にはポンプＰ１を備え下流側伏越室２３の底部から下流側伏越室２３の上部に排水を移送することができるようになっている。また、このポンプＰの運転を制御するタイマー（不図示）を備えたものである。
【００１０】
本発明の伏越管渠２０は、このような構成としたことにより排水中に含まれる油分や砂分などによる支障を低減あるいは解消することができるものである。
即ち、伏越管２４の勾配を上流管渠５の勾配よりも大きくしたことにより、排水中に含まれる砂分などが伏越管２４内に堆積せず流れ易くなる。更にポンプＰ１を稼動させた場合には伏越管２４内の排水の流速がより大きくなるため、更に砂分などが上流側伏越室２２内や伏越管２４内に堆積せず流れ易くなると共に、砂分などを伏越管２４内に堆積させることなく下流管渠６へと排出することができる。また、例えば特に夜間など排水の流量が減少し伏越管２４内の排水の流速が零に近くなるような時間帯、即ち、この様に排水が零の時でも計画流量の２０％は浸入してきた地下水が流れていることになっているので、この時に合わせてタイマーによりポンプＰ１を稼動させるようにした場合には更に効果的である。また、上流側伏越室２２の径寸法を上流管渠５の径寸法よりも小径寸法としたことにより、上流管渠５内を流れてきた最大寸法の物体は上流側伏越室２２内へは進入しないようになると共に、上流側伏越室２２の水面の面積が小さくなることからスカムの発生を低減させることができる。
【００１１】
尚、伏越管２４の勾配は大きいほど効果があるが、特に、上流管渠５の勾配の２．５２倍以上とすることが好ましく、その説明を図２に示す。
【００１２】
図３は本発明の、既存の伏越管渠の改良構造を示すものである。
既存の合流式伏越管渠１に隣接して、先の実施例と略同様の本発明の伏越管渠３０を新規に設けると共に、既存の合流式伏越管渠１の上流側伏越室２の上部の排水流入部に新規に堰１３を設け、この堰１３の上流側から伏越管渠３０の上流側伏越室２２の上部に排水を流送させる構造とし、更に、伏越管渠３０の下流側伏越室２３の底部から既存の合流式伏越管渠１の下流側伏越室３の上部または既存の合流式伏越管渠１の下流側伏越室３の更に下流側に排水を移送するポンプＰ１を備えた構造としたものである。
尚、１４は下流管渠６の途中に設けた排水枡であり、２５、２６は各々ポンプＰ１から既存の合流式伏越管渠１の下流側伏越室３の上部または排水枡１４に排水を移送する配管である。また、２７は既存の合流式伏越管渠１の上流側伏越室２の上部の排水流入部に新規に設けた堰１３の上流側から伏越管渠３０の上流側伏越室２２の上部に排水を流送させる送水管であり、２８は伏越管渠３０の下流側伏越室２３の上部から既存の合流式伏越管渠１の下流側伏越室３の上部に排水を流送させる送水管である。
そして、更に既存の合流式伏越管渠１の下流側伏越室３の底部から上部に排水を移送するポンプＰ２を備えると共に、このポンプの運転を水位計（不図示）の指示により制御するように構成したものである。
【００１３】
本発明の、既存の伏越管渠の改良構造は、このような構成としたことにより、流入する排水の量が少量の場合および多量の場合にも、排水中に含まれる油分や砂分などによる支障を低減あるいは解消することができるものである。
そして、流入する排水の量が少量の場合には、既存の合流式伏越管渠１の上流側伏越室２の上部の排水流入部に新規に設けた堰１３に堰き止められた排水が伏越管渠３０の上流側伏越室２２の上部に流送されることにより、既存の合流式伏越管渠１は使用せず伏越管渠３０のみを使用することなり、先の実施例にて説明した如きの効果が得られるものである。
一方、流入する排水の量が多量の場合には、既存の合流式伏越管渠１の上流側伏越室２の上部の排水流入部に新規に設けた堰１３を超えた排水が既存の合流式伏越管渠１の上流側伏越室２に流送されることにより、既存の合流式伏越管渠１および新規に設けた伏越管渠３０の両方を併用することとなり、特に大雨の場合などには大量の排水を円滑に下流管渠６へと流送させることができる。
更に、このような場合に既存の合流式伏越管渠１の下流側伏越室３の底部から上部に排水を移送するポンプＰ２が水位計（不図示）の指示により稼動するように構成すれば、大量の排水が押し流してくる比較的大粒で大量の土砂を伏越管４内に堆積させることなく適宜・適時に下流管渠６へと排出することができる。
【００１４】
また、このような改良構造は既存の伏越管渠１に対しては、ポンプＰ２や水位計あるいは堰１３や配管２５、２６および送水管２７、２８などの設置・配設などを行なう比較的簡単な施工で得られるため、経済的にも有利なものである。
【００１５】
尚、本発明の、既存の伏越管渠の改良構造における「既存」とは、既に施工・設置されている従来例に示す如きの伏越管渠のみならず、新たに施工・設置する従来型の伏越管渠をも広く意味する用語として用いるものであり、図３に示す実施例のように伏越管渠１および伏越管渠３０を互いに隣接させて組合せた伏越管渠を新たに施工・設置することも本発明の範疇に属するものである。
【００１６】
【発明の効果】
本発明の伏越管渠は以上説明してきた如き内容のものであり、スカムの発生や砂分の堆積などの支障を低減あるいは解消することができるものである。
また、本発明の、既存の伏越管渠の改良構造は以上説明してきた如き内容のものであり、既存の伏越管渠についてスカムの発生や砂分の堆積などの支障を低減あるいは解消することができるものであるほか、既存の伏越管渠に対しては比較的簡単な施工で得られることから経済的にも有利なものである。
【図面の簡単な説明】
【図１】本発明の伏越管渠を示す概略図であり、（ａ）は概略平面図、（ｂ）は概略側面図である。
【図２】本発明の伏越管渠における伏越管の勾配例についての説明図である。
【図３】本発明の、既存の伏越管渠の改良構造を示す概略図であり、（ａ）は概略平面図、（ｂ）は概略側面図である。
【図４】従来の一般的な伏越管渠を示す概略図であり、（ａ）は概略平面図、（ｂ）は概略側面図である。
【符号の説明】
１，２０，３０　…　伏越管渠
２，２２　　　　…　上流側伏越室
３，２３　　　　…　下流側伏越室
４，２４　　　　…　伏越管
５　　　　　　　…　上流管渠
６　　　　　　　…　下流管渠
Ｐ１、Ｐ２　　　…　ポンプ
１３　　　　　　…　堰
【図１】
2004052512.tif 000003
【図２】
2004052512.tif 000004
【図３】
2004052512.tif 000005
【図４】
2004052512.tif 000006